(57)【要約】      （修正有）【課題】設置や格納が容易で、管理の容易な看板を提供する。【解決手段】看板１であって、表示領域と、表示領域の下部に位置するスリットと、を有する表示板１０と、複数の保持部を有し、スリットを挿通する支持板２０と、を有し、表示板１０のスリットに支持板２０を挿通させ、支持板２０の貫通孔にペットボトルＰの首部分を挿通させる。ペットボトルＰには、砂や水等が入っており、支持板２０の上からペットボトルＰのキャップＣを締めることにより、支持板２０がペットボトルＰに固定され、看板１を自立させることができる。看板１の使用後、ペットボトルＰのキャップＣを開け、支持板２０からペットボトルＰを取り外す。次に支持板２０を表示板１０から取り外すことにより、看板１が解体され、格納可能な状態となる。【選択図】図１
0003230709.tif 000002
【実用新案登録請求の範囲】
【請求項１】
表示領域と、前記表示領域の下部に位置するスリットと、を有する表示板と、
複数の保持部を有し、前記スリットを挿通する支持板と、を有し、
前記スリットに挿通した前記支持板の前記保持部の各々にペットボトルを保持することを特徴とする、看板。
【請求項２】
請求項１に記載の看板であって、
前記保持部は、前記ペットボトルの胴径より小さく、口栓部の直径より大きい貫通孔であることを特徴とする、看板。
【請求項３】
請求項１又は２に記載の看板であって、
前記支持板は、３つの前記保持部を有することを特徴とする、看板。
【請求項４】
請求項３に記載の看板であって、
前記支持板は、上面視において一部が凸状に突き出た凸部を有する平板であって、
前記凸部は、前記スリットを挿通し、１つの保持部を有し、
前記支持板は、前記凸部を除いた他の部分が前記スリットを挿通しないことを特徴とする、看板。
【請求項５】
請求項１から４のいずれか一項に記載の看板であって、
前記支持板は、前記表示板を挿通した状態において、前記表示板の表面側及び裏面側の各々に少なくとも１つの前記保持部を有することを特徴とする、看板。
【請求項６】
請求項１から５のいずれか一項に記載の看板であって、
前記表示板は、前記支持板が前記ペットボトルを保持する状態において、下端が地面より上に位置することを特徴とする、看板。
【請求項７】
請求項１から６のいずれか一項に記載の看板であって、
前記表示板は、上端近傍に把持部を有することを特徴とする、看板。
【請求項８】
請求項１から７のいずれか一項に記載の看板であって、
前記表示領域は、ホワイトボードを有することを特徴とする、看板。
【考案の詳細な説明】
【技術分野】
【０００１】
本考案は、看板に関する。
【背景技術】
【０００２】
一時的に設置する看板に関する種々の技術がある。
【０００３】
特許文献１には、折り畳み式看板に関する技術が開示されている。本文献に係る折り畳み式看板は、バランス軸（５）に看板（４）とバランサー（２）を付け、重心を下げると共に安定させる事を特徴とする。
【先行技術文献】
【特許文献】
【０００４】
【特許文献１】実開平０６−６８０８１号公報
【考案の開示】
【考案が解決しようとする課題】
【０００５】
一時的に設置する看板は、不使用時に収納するための場所が必要となる。特許文献１に開示された折り畳み式看板は、構造が複雑であるため折り畳み及び掲示のための動作が煩わしく、格納するために大きなスペースが必要となる。
【０００６】
本考案は、上記の点に鑑みてなされたものであって、管理の容易な看板を提供することを目的とする。
【課題を解決するための手段】
【０００７】
そこで上記課題を解決するため、本考案の一態様に係る看板は、表示領域と、前記表示領域の下部に位置するスリットと、を有する表示板と、複数の保持部を有し、前記スリットを挿通する支持板と、を有し、前記スリットに挿通した前記支持板の前記保持部の各々にペットボトルを保持することを特徴とする。
【０００８】
前記保持部は、前記ペットボトルの胴径より小さく、口栓部の直径より大きい貫通孔であることを特徴としてもよい。
【０００９】
前記支持板は、３つの前記保持部を有することを特徴としてもよい。
【００１０】
前記支持板は、上面視において一部が凸状に突き出た凸部を有する平板であって、前記凸部は、前記スリットを挿通し、１つの保持部を有し、前記支持板は、前記凸部を除いた他の部分が前記スリットを挿通しないことを特徴としてもよい。
【００１１】
前記支持板は、前記表示板を挿通した状態において、前記表示板の表面側及び裏面側の各々に少なくとも１つの前記保持部を有することを特徴としてもよい。
【００１２】
前記表示板は、前記支持板が前記ペットボトルを保持する状態において、下端が地面より上に位置することを特徴としてもよい。
【００１３】
前記表示板は、上端近傍に把持部を有することを特徴としてもよい。
【００１４】
前記表示領域は、ホワイトボードを有することを特徴としてもよい。
【考案の効果】
【００１５】
本考案によれば、管理の容易な看板を提供することができる。
【図面の簡単な説明】
【００１６】
【図１】本実施形態における看板の構成を説明するための図である。
【図２】本実施形態における看板の構成部品の一例を示す図である。図２（Ａ）は、表示板１０の正面図であり、図２（Ｂ）は、支持板の上面図であり、図２（Ｃ）は、保持部に保持されるペットボトルに関する図である。
【図３】看板の設置例を示す図である。
【考案を実施するための形態】
【００１７】
以下、図面に基づいて本考案の実施の形態を説明する。
【００１８】
図１は、本実施形態における看板１の構成例を説明するための図である。看板１は、表示板１０と、支持板２０とを有する。表示板１０は、例えば透過性を有するアクリル板等の平板である。なお、表示板１０の材質はこれに限られず、不透明な樹脂であってもよいし、木製であってもよい。
【００１９】
支持板２０は、表示板１０と同様に、平板であれば材質は限られない。例えば表示板１０は、透過性を有する樹脂又は不透明な樹脂、木製等であってよい。表示板１０と支持板２０とを組み合わせ、支持板２０にペットボトルＰを保持させることにより、看板１を自立させることができる。
【００２０】
例えば、図１に示すように、表示板１０のスリットに支持板２０を挿通させ、支持板２０の貫通孔にペットボトルＰの首部分を挿通させる。ペットボトルＰには、砂や水等が入っており、支持板２０の上からペットボトルＰのキャップＣを締めることにより、支持板２０がペットボトルＰに固定され、看板１を自立させることができる。
【００２１】
看板１の使用後、ペットボトルＰのキャップＣを開け、支持板２０からペットボトルＰを取り外す。次に支持板２０を表示板１０から取り外すことにより、看板１が解体され、格納可能な状態となる。一般的に、余ったペットボトルＰは調達が容易なため、表示板１０と支持板２０とを保管しておけば、容易に看板１を設置することができる。表示板１０と支持板２０は平板であるため、格納が容易である。
【００２２】
図２は、本実施形態における看板１の構成部品の一例を示す図である。図２（Ａ）は、表示板１０の正面図であり、図２（Ｂ）は、支持板２０の上面図であり、図２（Ｃ）は、保持部２１に保持されるペットボトルＰに関する図である。
【００２３】
図２（Ａ）に示すように、表示板１０は、スリット１１と、表示領域１２と、把持部１３とを有する。スリット１１は、表示領域１２の下部に設けられた、横方向に延伸する貫通孔である。スリット１１を構成する開口部分は、支持板２０が挿通可能な高さ及び幅を有する。支持板２０が表示板１０に略垂直となるよう、支持板２０の挿通部（凸部２２）をスリット１１に挿通させることにより、表示板１０を安定して自立させることができる。
【００２４】
表示領域１２は、看板１に表示する内容を掲示する領域である。表示領域１２は、例えばＡ４サイズの用紙を貼付可能なサイズを有する。Ａ４サイズの用紙に掲示内容を印刷するか、又は用紙に掲示内容を書き込み、表示領域１２に貼付することにより、看板１への掲示が可能となる。本態様により、掲示内容の作成や変更が容易である。
【００２５】
なお、表示領域１２は、用紙の出し入れが可能な透過ポケットを有していてもよい。掲示内容を表記した用紙を透過ポケットに入れることにより、掲示内容の変更が容易な上、悪天候による用紙の破損を防止できる。
【００２６】
また、表示領域１２は、ホワイトボードや黒板等を有していてもよい。本構成により、表示領域１２に直接掲示内容を記入し、書き換えることが可能となる。
【００２７】
把持部１３は、表示板１０の上端近傍に設けられ、表示板１０の把持を支援する。把持部１３は、例えば手指を入れることのできる貫通孔である。把持部１３を設けることにより、看板１を組み立てた後の移動も容易となる。
【００２８】
図２（Ｂ）に示すように、支持板２０は、複数の保持部２１を有する。保持部２１は、ペットボトルＰを着脱自在に保持する。保持部２１は、例えばペットボトルＰを挿通可能な貫通孔である。
【００２９】
図２（Ｃ）に示すように、ペットボトルＰの胴径を胴径ｔとし、口栓部の直径を口栓径ｓとする。胴径ｔは、ペットボトルＰのうち最も太い部分の外径である。口栓径ｓは、キャップＣを外したペットボトルＰの開口部分の外径である。なお、口栓径ｓには、開口部分の有するネジ山の高さが含まれる。
【００３０】
保持部２１が貫通孔である場合、保持部２１の開口径は、一般的なペットボトルＰの胴径ｔより小さく、口栓径ｓより大きいことが望ましい。さらに望ましくは、保持部２１の開口径は、口栓径ｓより大きく、キャップＣの外径より小さい。保持部２１にペットボトルＰの首部を挿通し、キャップＣを締めることにより、支持板２０がペットボトルＰを安定して保持することができる。保持部２１の開口径がキャップＣの外径より小さくなるよう構成すれば、キャップＣを締めることにより、支持板２０からペットボトルＰから抜けるのを防止することができる。
【００３１】
一例として、支持板２０は、図２（Ｂ）に示す上面視において、一部が凸状に突き出た凸部２２を有する。凸部２２は挿通部としてスリット１１に挿通可能であり、支持板２０のうち、凸部２２を除いた他の部分はスリット１１を挿通しない。また、本態様において、例えば凸部２２は１つの保持部２１を有し、支持板２０のうち凸部２２を除いた他の部分は２つの保持部２１を有する。即ちこの場合、支持板２０は計３つの保持部２１を有する。
【００３２】
支持板２０が表示板１０に対して略垂直となるよう凸部２２をスリット１１に挿通させ、凸部２２の根本に到達すると、支持板２０の挿通が阻害される。この状態で保持部２１にペットボトルＰを固定することにより、安定して看板１を設置することができる。
【００３３】
図３は、看板１の設置例を示す図である。支持板２０に３本のペットボトルＰを保持させることにより、表示板１０が安定して自立する。
【００３４】
付言すれば、本実施形態において、表示板１０を挿通した支持板２０は、表示板１０の表面側及び裏面側の各々に、少なくとも１つの保持部２１を有する。表示板１０の両面に重量のある物を配置することにより、看板１の安定性が向上する。
【００３５】
また、表示板１０の下端は、支持板２０がペットボトルＰを保持する設置状態において、地面より少し上に位置する寸法で形成されることが望ましい。これにより、看板１が傾いた場合に表示板１０の下端が地面に接し、看板１を支え、倒れることを防ぐ。
【００３６】
なお、表示板１０のうち、スリット１１より下の部分は、ペットボトルＰの胴面に近接又は当接する。本構成により、表示板１０の傾斜がペットボトルＰにより阻害されるため、表示板１０が傾くことを予防することができる。また、ペットボトルＰの可動範囲が制限されるため、看板１のがたつきを予防することができる。
【００３７】
以上、本実施形態では、表示板１０の有するスリットに支持板２０を挿通させ、支持板２０の保持部２１の各々にペットボトルＰを保持させる。これにより、容易に看板１を設置することができる。また、不使用時には２枚の平板である表示板１０と支持板２０とを管理すればよいため、格納スペースが節約できる。従って、より管理が容易な看板１の提供が可能となる。
【００３８】
以上、本考案に係る各実施形態の説明を行ってきたが、本考案は、上記した実施形態の一例に限定されるものではなく、様々な変形例が含まれる。例えば、上記した実施形態の一例は、本考案を分かり易くするために詳細に説明したものであり、本考案は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。
【符号の説明】
【００３９】
１：看板、１０：表示板、１１：スリット、１２：表示領域、１３：把持部、２０：支持板、２１：保持部、２２：凸部、Ｐ：ペットボトル、Ｃ：キャップ
【図１】
0003230709.tif 000003
【図２】
0003230709.tif 000004
【図３】
0003230709.tif 000005